(57)【要約】      （修正有）【課題】消費者が自分で取り外し・交換することができるとともに、人間工学に基づいた構造により、体とぴったりくっつけて支えることができるため、使用上優れた快適性を得ることができ、滑って落ちることがなくなるとともに腰を曲げて拾う面倒がない、杖の上支持部構造を提供する。【解決手段】杖の上支持部構造は、杖の二本の側棒の上端の結合ブロックを、結合栓を介して支持部の両端の枢設部に枢設してなる。枢設部の枢設孔の周囲には、複数の位置決め溝が設けられ、結合ブロックは、弾性位置決め構造によって、位置決め溝に当接し、それによって、支持部を複数の角度回転させて位置決めすることが可能になる。【選択図】図２
0003173056.tif 000002
【実用新案登録請求の範囲】
【請求項１】
杖の二本の側棒の上端に設けられた二つの結合ブロックと、支持部の下に向かって設けられた二つの枢設部とを枢設してなる杖の上支持部構造であって、
枢設部の枢設孔の周囲には、複数の位置決め溝が設けられ、
結合ブロックを弾性位置決め構造により位置決め溝に当接させることにより、支持部を複数の角度回転させて位置決めすることが可能な、杖の上支持部構造。
【請求項２】
二つの結合ブロックには、それぞれ、支持部の二つの枢設部の枢設孔と対応する枢設溝が設けられ、
二つの枢設孔には、それぞれ結合栓が貫設され、その際、結合栓に設けられた凹溝にはバネが嵌め込まれ、そのバネを嵌め込んだ結合栓の一端を外側に向かって枢設部の枢設孔へ通して枢設溝に連結させ、
結合ブロックに設けられた位置決め装置によって、結合栓の内端が位置決めされて固定され、結合栓の他端頭部は支持部の枢設部に固定されることを特徴とする、請求項１に記載の杖の上支持部構造。
【請求項３】
位置決め装置は、
結合ブロックに、枢設溝及びニ段階孔に連通する縦方向断面溝を設け、縦方向断面溝の下端に、内外へ回転させることが可能な位置決め片を固定ピンを螺入することで枢設し、位置決め片の中段には止め孔を貫設し、位置決め片の上段の内側辺にはニ段階孔に対応する回避溝を設け、
位置決め片を上へ回転させ縦方向断面溝に差し込む時、位置決め片が結合栓の内段の位置決め環状溝に当接して結合栓が位置決めされ、結合ブロックの縦方向断面溝の一側に弾性ボールを備える位置決め部材を螺入させることにより、弾性ボールが止め孔に当接して固定されることにより、
形成されることを特徴とする、請求項２に記載の杖の上支持部構造。
【請求項４】
弾性位置決め構造は、
弾性ピンの一端の大径ストップ部の中央に位置決め凸部を設け、大径ストップ部の他側にバネを嵌め込み、大径ストップ部の他側のバネを、結合ブロックにおける枢設溝の上側に設けられたニ段階孔の大径段部に差込んで大径段部内の階段状縁に配置させ、ニ段階孔から露出した弾性ピンの部分にプルリングを結合させ、位置決め凸部を支持部の枢設部に設けられた位置決め溝に当接させることによって、
形成されることを特徴とする、請求項１、または、請求項２、または、請求項３に記載の杖の上支持部構造。
【考案の詳細な説明】
【技術分野】
【０００１】
本考案は、杖の上端から支持部を簡単に取り外しすることができるとともに、杖の上端と支持部の角度を変えて位置決めすることで、外形が形成する凹部によって体と固定することができるため、杖が滑って落ちることがない杖の上支持部構造に関する。
【背景技術】
【０００２】
図１を参照する。図１は、従来の杖を示した斜視図である。杖１０は、二本の側棒の間の下端に接地棒１１を連結させ、二本の側棒の中段に、握るための握り棒１２を横向きに連結させ、二本の側棒の上端には、脇の下に当接させる上支持部１３を結合させてなる。
【０００３】
上述したような従来の杖１０の上支持部１３は、人間工学に基づいて設計されておらず、簡単に製造された矩形断面構造であり、その矩形の角を脇の下に置いて支えた時、脇の下が過度に圧迫され、使用して不快になりやすく、長く使用すると痛くなり、それが欠点の一つとなっている。
【０００４】
また、従来の杖１０の上支持部１３は、一般的に、結合されて取り外しできない固定された構造になっているため、上支持部１３を交換することができず、使っていて不快であり、杖ごと捨てて新しく換えるのはもったいないことが、二つ目の欠点となっている。
【０００５】
最後に、従来の杖の平らで真っすぐな構造の上支持部１３は体に固定することができず、もし握り棒１２の両手を放した場合、すぐに滑って落ちてしまい、面倒にも腰を曲げて拾わなければならず、使用する上で多くの不便があることが、三つ目の欠点となっている。
【考案の概要】
【考案が解決しようとする課題】
【０００６】
そこで、本考案は、支持部を杖の二本の側棒の上端で素早く取り外せる構造にすることで、消費者が自分で取り外し・交換することができ、使用する上で便利な杖の上支持部構造を提供することを目的とする。
【０００７】
また、本考案は、人間工学に基づいた構造により、体とぴったりくっつけて支えることができるため、使用上優れた快適性を得ることができる、杖の上支持部構造を提供することを目的とする。
【０００８】
また、本考案は、杖の上端と支持部を、角度を変えて位置決めすることが可能な構造にし、外形が凹部を形成している支持部を体に当接させると、滑って落ちることがなくなるとともに腰を曲げて拾う面倒がなくなり、多数の使用上の進歩性を達成することが可能な、杖の上支持部構造を提供することを目的とする。
【課題を解決するための手段】
【０００９】
本考案による杖の上支持部構造は、杖の二本の側棒の上端の結合ブロックを、結合栓を介して支持部の両端の枢設部に枢設してなる。枢設部の枢設孔の周囲には、複数の位置決め溝が設けられ、結合ブロックは、弾性位置決め構造によって、位置決め溝に当接し、それによって、支持部を複数の角度回転させて位置決めすることが可能になる。その内、二本の側棒の上端の結合ブロックには枢設溝がそれぞれ設けられ、枢設溝は支持部の二つの枢設部の枢設孔と対応する。二つの枢設孔には、それぞれ結合栓が貫設され、その際、結合栓に設けられた凹溝にはバネが嵌め込まれ、そのバネを嵌め込んだ結合栓の一端を外側に向かって枢設部の枢設孔へ通して枢設溝に連結させ、結合ブロックに設けられた位置決め装置によって、結合栓の内端が位置決めされて固定される。その内、結合ブロックにおける結合栓の上側に、内端が大径段部であるニ段階孔を設け、ニ段階孔に弾性ピンを設け、弾性ピンの一端の大径ストップ部の中央には位置決め凸部を設け、大径ストップ部の他側にバネを被せ、大径ストップ部の他側のバネをニ段階孔の大径段部に差し込んで大径段部内の階段状縁に配置させ、ニ段階孔から露出した弾性ピンの部分にプルリングを結合させ、位置決め凸部を、支持部の枢設部に設けられた位置決め溝に当接させることによって、弾性位置決め構造が形成される。その内、結合ブロックに、枢設溝及びニ段階孔に連通する縦方向断面溝を設け、縦方向断面溝の下端に、内外へ回転させることが可能な位置決め片を固定ピンを螺入することで枢設し、位置決め片の中段には止め孔を貫設し、位置決め片の上段の内側辺にはニ段階孔に対応する回避溝を設け、位置決め片を上へ回転させ縦方向断面溝に差し込む時、位置決め片が結合栓の内段の位置決め環状溝に当接し位置決めされ、結合ブロックの縦方向断面溝の一側に弾性ボールを備える位置決め部材を螺入させることにより、弾性ボールが止め孔に当接して固定されることにより、位置決め装置が形成される。
【図面の簡単な説明】
【００１０】
【図１】従来の杖を示した斜視図である。
【図２】本考案を示した分解斜視図である。
【図３】本考案の杖の結合ブロックの内部構造を示した部分断面図である。
【図４】本考案の結合ブロックを横に切った状態を示した断面図である。
【図５】本考案の結合ブロックを縦に切った状態を示した断面図である。
【図６】本考案を使用した実施例を示した説明図である。
【考案を実施するための形態】
【００１１】
図２に示すように、本考案は、杖２０の上端と支持部３０の間に、弾性ピン４０と二つの位置決め片５０を設けてなる。
【００１２】
杖２０の二本の側棒２１の上端には、それぞれ結合ブロック２２が被せられ、結合ブロック２２には枢設溝２３が設けられ、結合ブロック２２における枢設溝２３の上側には、内端が大径段部になっているニ段階孔２４が貫設され、二つの結合ブロックの外側には、それぞれ、位置決め片５０が嵌め込まれる縦方向断面溝２５が設けられ、ニ段階孔２４は連通し、縦方向断面溝２５の一側の結合ブロックには、下ネジ孔２６と上ネジ孔２７が垂直に貫設される。
【００１３】
支持部３０の上側には、人間工学に基づき、凹弧状支持部３１のブロック体が設けられ、支持部３０の両端には、枢設孔３２１を備える枢設部３２が下に向かって凸設され、枢設孔３２１には、中段の外径に位置決め環状溝３３１が設けられるとともに頭部が大きい結合栓３３がそれぞれ設けられる。結合栓３３には凹溝３３２が設けられ、凹溝３３２にバネ３４の他端を嵌合させた後、結合栓３３は枢設孔３２１に嵌入される。また、図４、図５に示すように、一端の枢設部３２の外側面の枢設孔３２１の周囲には、環状に並べられた複数の位置決め溝３２２が凹設される。
【００１４】
弾性ピン４０の棒体の一端は、外端面に位置決め凸部４２を備える大径ストップ部４１を形成し、大径ストップ部４１の内側にはバネ４３が被せられ、弾性ピン４０の棒体の他端にはプルリング４４が結合される。
【００１５】
二枚の位置決め片５０は長い形状の片体であり、位置決め片５０の一端には枢設孔５１が貫設され、位置決め片５０は縦方向断面溝２５に差し込まれ、枢設孔５１は下ネジ孔２６と対応する。図３に示すように、位置決め片５０は、固定ピン５２を介して枢設孔５１に枢設される。位置決め片５０における縦方向断面溝２５に対して内側辺の上段には回避溝５３が設けられ、位置決め片５０を縦方向断面溝２５に差込み、その内側辺が結合栓３３内側段の位置決め環状溝３３１に当接する時、上段の回避溝５３は弾性ピン４０に対応する。また、位置決め片５０の中段には止め孔５４が貫設され、止め孔５４は上ネジ孔２７と対応し、それらに、一端に弾性ボールを備える位置決め部材５５を螺入することで、弾性ボールが止め孔５４に当接して、位置決め装置となる。
【００１６】
図３に示すように、上述の構造を組み合わせるには、まず、弾性ピン４０を側棒２１（図２を参照）上端の結合ブロック２２のニ段階孔２４に嵌め込み、バネ４３をニ段階孔２４の大径段部内の階段状縁に配置し、結合ブロック２２の外側に露出する末端にプルリング４４を結合させることで、弾性位置決め構造が形成される。また、図４に示すように、支持部３０の二つの枢設部３２の枢設孔３２１と杖２０の結合ブロック２２の枢設溝２３を対応させ、二つの結合栓３３におけるバネ３４を嵌合させた未端を枢設孔３２１内側から外に向かって貫設するとともに、結合ブロック２２の枢設溝２３に嵌合させ、縦方向断面溝２５に差し込んだ位置決め片５０を結合栓３３位置決め環状溝３３１に当接させた時、位置決め部材５５内端のボールが止め孔５４に当接して位置決めされる。
【００１７】
図４と図５は、本考案を横と縦に切った状態を示した断面図である。支持部３０の枢設部３２に貫設した結合栓３３は、その位置決め環状溝３３１が位置決め片５０の当接を受けることにより（図３に図示）、支持部３０の両端の枢設部３２に固く枢設される。また、弾性ピン４０を、枢設部３２の外側の位置決め溝３２２に差し込むことにより、支持部３０を上向きの角度に固定することができる。また、図５の点線に示すように、位置決め片５０を外側にめくり出して結合栓３３から解放させた時、結合栓３３の内端に被せたバネ３４（図４に図示）が結合栓３３を押しだす。それにより、消費者は支持部３０の取り外し・交換を素早く行うことができ、使用上の利便性を得ることができる。
【００１８】
図４において、矢印に示すように、弾性ピン４０の外端のプルリング４４を外側に引っ張ってバネ４３を圧縮させて、その位置決め凸部４２を枢設部３２の位置決め溝３２２から外し、図５の点線に示すように支持部３０を、一定の角度分回転させ、さらに、弾性ピン４０を放すと、その位置決め凸部４２は対応する位置決め溝３２２に進入して位置決めされる。それにより、図６に示すように、支持部３０の凹弧状支持部３１が体６０の一側に当接して固定され、杖２０を放したとしても滑って落ちることがなく、腰を曲げて拾わなければならない面倒を省くことができ、優れた使用進歩性を達成することができる。
【００１９】
また、図４において、支持部３０の人間工学に基づいて設計された凹弧状支持部３１は、体にぴったりくっついて支えることができるため、長く使用しても不快にならず、使用進歩性を達成することができる。
【符号の説明】
【００２０】
（従来技術）
１０    杖
１１    接地棒          
１２    握り棒                  
１３    上支▲掌▼部
（本考案）
２０    杖                
２１    側棒            
２２    結合ブロック    
２３    枢設溝                
２４    ニ段階孔        
２５    縦方向断面溝
２６    下ネジ孔        
２７    上ネジ孔    
３０    支持部    
３１    凹弧状支持部    
３２    枢設部            
３２１  枢設孔
３２２  位置決め溝          
３３    結合栓        
３３１  位置決め環状溝
３３２  凹溝              
３４    バネ            
４０    弾性ピン
４１    大径ストップ部        
４２    位置決め凸部    
４３    バネ
４４    プルリング                
５０    位置決め片        
５１    枢設孔
５２    固定ピン            
５３    回避溝        
５４    止め孔        
５５    位置決め部材    
【図１】
0003173056.tif 000003
【図２】
0003173056.tif 000004
【図３】
0003173056.tif 000005
【図４】
0003173056.tif 000006
【図５】
0003173056.tif 000007
【図６】
0003173056.tif 000008